【手続補正書】
【提出日】平成18年9月11日(2006.9.11)
【手続補正１】
【補正対象書類名】明細書
【補正対象項目名】特許請求の範囲
【補正方法】変更
【補正の内容】
【特許請求の範囲】
【請求項１】  式（Ｉ）
【化１】
2002525398.tif 000001
（式中、
Ｉｎは、エチレン基を含むモノマー又はオリゴポリマーの重合を開始させることができる重合開始剤の重合開始剤フラグメントを表し、
ｐは、０よりも大きい数字を表し、開始剤フラグメントの数を定義し、
Ａは、エチレン基を含む重合性モノマー又はオリゴポリマーの繰り返し単位からなるオリゴポリマー又はポリマーフラグメントを表し、
ｘは、１よりも大きい数字を表し、Ａにおける繰り返し単位の数を定義し、
Ｂは、Ａと共重合したモノマー、オリゴポリマー又はポリマーフラグメントを表し、
ｙは、０又は０よりも大きい数字を表し、Ｂにおけるモノマー、オリゴポリマー又はポリマー繰り返し単位の数を定義し、
ｑは、０よりも大きい数字を表し、
Ｒ1及びＲ2の一方がＣ1〜Ｃ7アルキルを表し、他方がＣ1〜Ｃ4アルキル又はＣ1〜Ｃ4アルコキシカルボニルもしくはＣ1〜Ｃ4アルコキシによって置換されているＣ1〜Ｃ4アルキルを表すか、
Ｒ1とＲ2とが、隣接する炭素原子を介していっしょになって、Ｃ3〜Ｃ7シクロアルキルを表し、
Ｒ3及びＲ4は、Ｒ1及びＲ2として定義したとおりであり、
Ｒaは、Ｃ1〜Ｃ4アルキル、シアノ、Ｃ1〜Ｃ4アルコキシカルボニル、Ｃ1〜Ｃ4アルカノイルオキシ、Ｃ1〜Ｃ4アルカノイルオキシ−Ｃ1〜Ｃ4アルキル、カルバモイル、モノ−もしくはジ−Ｃ1〜Ｃ4アルキルカルバモイル、モノ−もしくはジ−２−ヒドロキシエチルカルバモイル、アミジノ、２−イミダゾリル、１−ヒドロキシ−２−ヒドロキシメチル−２−プロピルカルバモイル又は１，１−ジヒドロキシメチル−２−ヒドロキシカルバモイルを表し、
Ｒbは、Ｒaとして定義したとおりであるか、
ＲaとＲbとがいっしょになって、二価の基を表し、窒素、酸素及び硫黄からなる群より選択される１〜３個のさらなるヘテロ原子を含むことができる５、６、７又は８員の脂肪族又は芳香族複素環式基を形成する。
ただし、Ｒ1、Ｒ2、Ｒ3及びＲ4がメチルを表し、Ｒa及びＲbが１，３−プロピレンを表す式Ｉの化合物は除く）
のポリマーの製造方法であって、
原子移動ラジカル重合（ＡＴＲＰ）により、式（II）
【化２】
2002525398.tif 000002
（式中、ｐ及びｑは、前記で定義したとおりであり、Ｉｎは、エチレン基を含むモノマー又はオリゴポリマーの重合を開始させることができるラジカル的に移動可能な原子又は基を表し、−Ｘは、離脱基を表す）
の重合開始剤の存在で、エチレン基を含む脂肪族モノマー又はオリゴマーを重合させることと、式（III）
【化３】
2002525398.tif 000003
（式中、Ｉｎ、Ｘ、Ａ、Ｂ、ｘ、ｙならびにｐ及びｑは、前記で定義したとおりである）
の重合体の−Ｘを、触媒有効量の酸化性遷移金属錯体触媒の存在下で、式（IV）
【化４】
2002525398.tif 000004
（式中、Ｒ1〜Ｒ4ならびにＲa及びＲbは、前記で定義したとおりである）
のＮ→Ｏ化合物で置換することとを含む方法。
【請求項２】  Ｒ1及びＲ2の一方がメチルを表し、他方がメチル又はエチルを表し、Ｒ3及びＲ4の一方がメチルを表し、他方がメチル又はエチルを表し、ＲaとＲbとがいっしょになって、式（Ａ0）
【化５】
2002525398.tif 000005
（式中、
Ｒ5、Ｒ6、Ｒ7及びＲ8は、互いに独立して、水素、メチル又はエチルを表し、
Ｒ9及びＲ10の一方が、他方から独立して、水素又は置換基を表すか、Ｒ9及びＲ10がいずれも置換基を表す）
の基を表す、式Ｉのポリマーを製造するための、請求項１記載の方法。
【請求項３】  式（IＡ）
【化６】
2002525398.tif 000006
（式中、
Ｉｎは、エチレン基を含むモノマー又はオリゴポリマーの重合を開始させることができる重合開始剤（II）の重合開始剤フラグメントを表し、
ｐは、０よりも大きい数字を表し、開始剤フラグメントの数を定義し、
Ａは、エチレン基を含む重合性モノマー又はオリゴポリマーの繰り返し単位からなるオリゴポリマー又はポリマーフラグメントを表し、
ｘは、１よりも大きい数字を表し、Ａにおける繰り返し単位の数を定義し、
Ｂは、Ａと共重合したモノマー、オリゴポリマー又はポリマーフラグメントを表し、
ｙは、０又は０よりも大きい数字を表し、Ｂにおけるモノマー、オリゴポリマー又はポリマー繰り返し単位の数を定義し、
ｑは、０よりも大きい数字を表し、
Ｒ1、Ｒ2、Ｒ3及びＲ4は、Ｃ1〜Ｃ4アルキルを表し、
Ｒ5、Ｒ6、Ｒ7及びＲ8は、水素を表し、
Ｒ9及びＲ10の一方が、他方から独立して、水素又は置換基を表すか、Ｒ9及びＲ10がいずれも置換基を表す）
のポリマーを製造するための、
原子移動ラジカル重合（ＡＴＲＰ）により、エチレン基を含むモノマー又はオリゴポリマーの重合を開始させることができるラジカル的に移動可能な原子又は基を有する重合開始剤（II）の存在下で、エチレン基を含む脂肪族モノマー又はオリゴマーを重合させることと、重合体（III）の脱離基−Ｘを、触媒有効量の酸化性遷移金属錯体触媒の存在下で、式（IVＡ）
【化７】
2002525398.tif 000007
（式中、Ｒ1〜Ｒ10は、前記で定義したとおりである）
のＮ→Ｏ化合物で置換することとを含む、請求項１記載の方法。
【請求項４】  式ＩＡの環式Ｎ→Ｏフラグメントが、部分式（Ｂ0）
【化９】
2002525398.tif 000008
（式中、Ｒ1〜Ｒ8は、請求項６で定義したとおりであり、４位置は、１又は２個の置換基によって置換されている）
の構造態様を表す、ポリマーを製造するための、請求項３記載の方法。
【請求項５】  部分式基Ｂ0が、部分式（Ｂ1）、（Ｂ2）及び（Ｂ3）
【化１０】
2002525398.tif 000009
（式中、
Ｒ1〜Ｒ6は、請求項１で定義したとおりであり、
ｍは、１〜４の数字を表し、
ｎは、１、２又は３を表し、
ｍが１を表すならば、
Ｒaは、水素、中断されていないか、１個以上の酸素原子によって中断されているＣ1〜Ｃ18アルキル、２−シアノエチル、ベンゾイル、グリシジル又は炭素原子２〜１８個を有する脂肪族カルボン酸の一価の基、炭素原子７〜１５個を有する脂環式カルボン酸の一価の基、炭素原子３〜５を個を有するａ，ｂ不飽和カルボン酸の一価の基もしくは炭素原子７〜１５個を有する芳香族カルボン酸の一価の基（各カルボン酸は、脂肪族、脂環式又は芳香族部分を１〜３個の−ＣＯＯＺ基（式中、Ｚは、Ｈ、Ｃ1〜Ｃ20アルキル、Ｃ3〜Ｃ12アルケニル、Ｃ5〜Ｃ7シクロアルキル、フェニル又はベンジルを表す）によって置換されていてもよい）を表すか、カルバミド酸もしくはリン含有酸の一価の基又は一価のシリル基を表し、あるいは、
ｍが２を表すならば、
Ｒaは、Ｃ2〜Ｃ12アルキレン、Ｃ4〜Ｃ12アルキレン、キシリレン又は炭素原子２〜３６個を有する脂肪族ジカルボン酸の二価の基、炭素原子８〜１４個を有する脂環式又は芳香族ジカルボン酸の二価の基もしくは炭素原子８〜１４個を有する脂肪族、脂環式又は芳香族ジカルバミド酸の二価の基（各ジカルボン酸は、脂肪族、脂環式又は芳香族部分を１又は２個の−ＣＯＯＺ基によって置換されていてもよい）を表すか、リン含有酸の二価の基又は二価のシリル基を表し、あるいは、
ｍが３を表すならば、
Ｒaは、脂肪族、脂環式又は芳香族トリカルボン酸（これらは脂肪族、脂環式又は芳香族部分を−ＣＯＯＺ基によって置換されていてもよい）の三価の基、芳香族トリカルバミド酸の三価の基又はリン含有酸の三価の基を表すか、三価のシリル基であり、あるいは、
ｍが４を表すならば、
Ｒaは、脂肪族、脂環式又は芳香族テトラカルボン酸の四価の基を表し、
ｎが１を表すならば、
Ｒbは、Ｃ1〜Ｃ12アルキル、Ｃ5〜Ｃ7シクロアルキル、Ｃ7〜Ｃ8アラルキル、Ｃ2〜Ｃ18アルカノイル、Ｃ3〜Ｃ5アルケノイル又はベンゾイルを表し、
Ｒcは、Ｃ1〜Ｃ18アルキル、Ｃ5〜Ｃ7シクロアルキル、非置換であるか、シアノ、カルボニル又はカルバミド基によって置換されているＣ2〜Ｃ8アルケニル、グリシジル又は式−ＣＨ2ＣＨ（ＯＨ）−Ｚ、−ＣＯ−Ｚもしくは−ＣＯＮＨ−Ｚ（式中、Ｚは、水素、メチル又はフェニルを表す）の基を表すか、ＲbとＲcとがいっしょになって、脂肪族又は芳香族１，２−又は１，３−ジカルボン酸の環式アシル基を表し、あるいは、
ｎが２を表すならば、
Ｒbは、前記で定義したとおりであり、
Ｒcは、Ｃ2〜Ｃ12アルキレン、Ｃ6〜Ｃ12アリーレン、キシリレン、−ＣＨ2ＣＨ（ＯＨ）ＣＨ2−Ｏ−Ｂ−Ｏ−ＣＨ2ＣＨ（ＯＨ）ＣＨ2−基（式中、Ｂは、Ｃ2〜Ｃ10アルキレン、Ｃ6〜Ｃ15アリーレン又はＣ6〜Ｃ12シクロアルキレンを表す）又は、Ｒbがアルカノイル、アルケノイル又はベンゾイルではないならば、脂肪族、脂環式又は芳香族ジカルボン酸又はジカルバミド酸の二価のアシル基を表すか、基−ＣＯ−を表すか、部分式（Ｃ0）
【化１１】
2002525398.tif 000010
（式中、Ｔ1及びＴ2は、互いに独立して、水素、Ｃ1〜Ｃ18アルキルを表すか、Ｔ1及びＴ2はいっしょになって、Ｃ4〜Ｃ6アルキレン又は３−オキサペンタメチレンを表す）
の基を表し、あるいは、
ｎが３を表すならば、
Ｒcは、２，４，６−トリアジニルを表す）
からなる群より選択される構造態様を表す、ポリマーを製造するための、請求項４記載の方法。